(57)【要約】【課題】ワークフローのジョブを実行するためのイベントの通知内容および通知先を多様化できるようにすること。【解決手段】情報処理システムは、一連となる複数の処理を含むワークフローを実行する情報処理システムであって、イベントの通知内容および通知先が示されたイベント通知設定ファイルを登録するイベント登録部と、イベント通知設定ファイルに示されている通知先に対して、イベント通知設定ファイルに示されている通知内容を含む、イベント通知を行うイベント通知部と、イベント通知部によってなされたイベント通知を受け取り、当該イベント通知に基づいて実行すべきワークフローを特定し、特定されたワークフローを実行するためのジョブを登録する通知受け取り部と、通知受け取り部によって登録されたワークフローのジョブを実行するジョブ実行部とを備える。【選択図】図３
2019179535.tif 000002
【特許請求の範囲】
【請求項１】
一連となる複数の処理を含むワークフローを実行する情報処理システムであって、
イベントの通知内容および通知先が示されたイベント通知設定ファイルを登録するイベント登録部と、
前記イベント通知設定ファイルに示されている前記通知先に対して、前記イベント通知設定ファイルに示されている前記通知内容を含む、イベント通知を行うイベント通知部と、
前記イベント通知部によってなされた前記イベント通知を受け取り、当該イベント通知に基づいて実行すべきワークフローを特定し、特定されたワークフローを実行するためのジョブを登録する通知受け取り部と、
前記通知受け取り部によって登録された前記ワークフローの前記ジョブを実行するジョブ実行部と
を備えることを特徴とする情報処理システム。
【請求項２】
前記イベント通知設定ファイルは、
当該イベント通知設定ファイルによるイベント通知の実行対象とする、イベントの種類の設定を含む
ことを特徴とする請求項１に記載の情報処理システム。
【請求項３】
前記イベント通知設定ファイルは、
当該イベント通知設定ファイルによるイベント通知を行う条件として、前記ジョブの実行を要求するユーザのユーザＩＤの設定、および、前記ユーザが属するテナントのテナントＩＤの設定の、少なくともいずれか一方を含む
ことを特徴とする請求項１または２に記載の情報処理システム。
【請求項４】
前記イベント通知設定ファイルは、
当該イベント通知設定ファイルによるイベント通知の通知先として、前記通知受け取り部として機能するモジュールが有する、イベント通知の受信用のＡＰＩパスの設定を含む
ことを特徴とする請求項１から３のいずれか一項に記載の情報処理システム。
【請求項５】
一連となる複数の処理を含むワークフローを実行する情報処理装置であって、
イベントの通知内容および通知先が示されたイベント通知設定ファイルを登録するイベント登録部と、
前記イベント通知設定ファイルに示されている前記通知先に対して、前記イベント通知設定ファイルに示されている前記通知内容を含む、前記イベントの通知を行うイベント通知部と、
前記イベント通知部によってなされた前記イベントの通知を受け取り、当該通知に含まれている前記通知内容に基づいて実行すべきワークフローを特定し、特定されたワークフローを実行するためのジョブを登録する通知受け取り部と、
前記通知受け取り部によって登録された前記ワークフローの前記ジョブを実行するジョブ実行部と
を備えることを特徴とする情報処理装置。
【請求項６】
一連となる複数の処理を含むワークフローを実行する情報処理方法であって、
イベントの通知内容および通知先が示されたイベント通知設定ファイルを登録するイベント登録工程と、
前記イベント通知設定ファイルに示されている前記通知先に対して、前記イベント通知設定ファイルに示されている前記通知内容を含む、イベント通知を行うイベント通知工程と、
前記イベント通知工程においてなされた前記イベント通知を受け取り、当該イベント通知に基づいて実行すべきワークフローを特定し、特定されたワークフローを実行するためのジョブを登録する通知受け取り工程と、
前記通知受け取り工程において登録された前記ワークフローの前記ジョブを実行するジョブ実行工程と
を含むことを特徴とする情報処理方法。
【請求項７】
一連となる複数の処理を含むワークフローを実行するプログラムであって、
コンピュータを、
イベントの通知内容および通知先が示されたイベント通知設定ファイルを登録するイベント登録部、
前記イベント通知設定ファイルに示されている前記通知先に対して、前記イベント通知設定ファイルに示されている前記通知内容を含む、イベント通知を行うイベント通知部、
前記イベント通知部によってなされた前記イベント通知を受け取り、当該イベント通知に基づいて実行すべきワークフローを特定し、特定されたワークフローを実行するためのジョブを登録する通知受け取り部、および、
前記通知受け取り部によって登録された前記ワークフローの前記ジョブを実行するジョブ実行部
として機能させるためのプログラム。
【発明の詳細な説明】
【技術分野】
【０００１】
本発明は、情報処理システム、情報処理装置、情報処理方法、およびプログラムに関する。
【背景技術】
【０００２】
下記特許文献１には、特定のアドレス宛ての電子メールが送信されたことをイベントとし、当該イベントの発生通知を受け取ったことをトリガとして、電子メールに添付されている添付ファイルを印刷ジョブとして保存し、その後、電子メールの宛先として指定されているメール受信者からの要求に応じて、当該印刷ジョブに対する印刷を実行する技術が開示されている。
【発明の概要】
【発明が解決しようとする課題】
【０００３】
しかしながら、従来技術では、ワークフローのジョブを実行するためのイベントの通知内容および通知先が固定されている。このため、従来技術では、ワークフローのジョブを実行するためのイベントの通知内容および通知先を多様化することができない。
【０００４】
本発明は、上述した従来技術の課題を解決するため、ワークフローのジョブを実行するためのイベントの通知内容および通知先を多様化できるようにすることを目的とする。
【課題を解決するための手段】
【０００５】
上述した課題を解決するために、本発明の情報処理システムは、一連となる複数の処理を含むワークフローを実行する情報処理システムであって、イベントの通知内容および通知先が示されたイベント通知設定ファイルを登録するイベント登録部と、イベント通知設定ファイルに示されている通知先に対して、イベント通知設定ファイルに示されている通知内容を含む、イベント通知を行うイベント通知部と、イベント通知部によってなされたイベント通知を受け取り、当該イベント通知に基づいて実行すべきワークフローを特定し、特定されたワークフローを実行するためのジョブを登録する通知受け取り部と、通知受け取り部によって登録されたワークフローのジョブを実行するジョブ実行部とを備える。
【発明の効果】
【０００６】
本発明によれば、ワークフローのジョブを実行するためのイベントの通知内容および通知先を多様化することができる。
【図面の簡単な説明】
【０００７】
【図１】本発明の一実施形態に係る情報処理システムのシステム構成を示す図である。
【図２】本発明の一実施形態に係るクラウドサーバのハードウェア構成を示す図である。
【図３】本発明の一実施形態に係るクラウドサーバおよびメール転送サーバの機能構成を示す図である。
【図４】本発明の一実施形態に係る情報処理システムによるイベント登録処理の手順の一例を示すシーケンス図である。
【図５】本発明の一実施形態に係るイベント登録モジュールによって登録されるイベント通知設定ファイルの一例を示す図である。
【図６】本発明の一実施形態に係る情報処理システムによるジョブ実行処理の手順の一例を示すシーケンス図である。
【図７】本発明の一実施形態に係る情報処理システムによるジョブ実行処理の手順の一例を示すシーケンス図である。
【図８】本発明の一実施形態に係る通知受け取りモジュールが保持する管理テーブルの一例を示す図である。
【図９】本発明の一実施形態に係る情報処理システムにおいて、メール転送サーバからクラウドサーバへ転送されるメール情報の一例を示す図である。
【図１０】本発明の一実施形態に係る認証モジュールが保持するユーザ登録情報テーブルの一例を示す図である。
【図１１】本発明の一実施形態に係る一時ファイル保存モジュールから返される添付ファイルの保存先のアドレスの一例を示す図である。
【図１２】本発明の一実施形態に係る一時ファイル保存モジュールから返されるメール情報の保存先のアドレスの一例を示す図である。
【図１３】本発明の一実施形態に係るメール処理モジュールが保持するメール情報管理テーブルの一例を示す図である。
【図１４】本発明の一実施形態に係るイベント登録モジュールによって登録されるイベント通知設定ファイルの他の一例を示す図である。
【発明を実施するための形態】
【０００８】
以下、図面を参照して、本発明の一実施形態について説明する。
【０００９】
（情報処理システム１０のシステム構成）
図１は、本発明の一実施形態に係る情報処理システム１０のシステム構成を示す図である。図１に示すように、情報処理システム１０は、ユーザ端末２０、メール転送サーバ３０、開発者端末４０、画像形成装置５０、およびクラウドサーバ１００を備えている。各装置は、ネットワーク１２に接続されている。ネットワーク１２としては、例えば、ＬＡＮ（Local Area Network）、ＶＰＮ（Virtual Private Network）、インターネット等が挙げられる。
【００１０】
画像形成装置５０は、コピー機能、スキャン機能、ＦＡＸ機能、プリンタ機能等の、複数の画像処理機能を有する装置である。画像形成装置５０としては、例えば、ＭＦＰ（Multifunction Peripheral）が挙げられる。画像形成装置５０は、ネットワーク１２を介して、外部から送信されたジョブ実行要求を受信し、当該ジョブ実行要求に応じた機能を実行することができる。また、画像形成装置５０は、ネットワーク１２を介して、ジョブの実行結果（例えば、スキャン機能によって生成された電子ファイル等）を外部へ送信することができる。
【００１１】
クラウドサーバ１００は、「情報処理装置」の一例である。クラウドサーバ１００は、ワークフローサービスを提供するサーバ装置である。ワークフローは、一連の複数の処理が組み合わされて順次実行されるものである。ワークフローとしては、例えば、電子ファイルをＰＤＦ形式に変換し、当該電子ファイルを外部ストレージシステムに配信するサービスを提供するもの等が挙げられる。また、ワークフローは、画像形成装置５０によって複数の処理が順次実行されるものを含む。このようなワークフローとして、例えば、画像形成装置５０により、ＰＤＦファイルに対して社外秘のスタンプを付した後、当該ＰＤＦファイルを印刷するものが挙げられる。なお、ワークフローに組み込まれる処理は、如何なる処理であってもよい。ワークフローに組み込まれる処理として、例えば、スキャン処理、ファイル編集処理、ファイル形式変換処理、印刷処理、ファイル配信処理、ファイル保存処理、等が挙げられる。
【００１２】
ユーザ端末２０は、ワークフローサービスの利用者が使用する端末装置である。ユーザ端末２０は、ネットワーク１２を介して、クラウドサーバ１００によって提供されるワークフローサービスを利用することが可能である。ユーザ端末２０は、ワークフローサービスを利用するために、少なくとも、電子メールを送信する機能を有する。ユーザ端末２０としては、例えば、パーソナルコンピュータ、タブレット端末、スマートフォン等が挙げられる。なお、実際には、情報処理システム１０は、複数のユーザ端末２０を備えており、複数のユーザ端末２０の各々から、クラウドサーバ１００によって提供されるワークフローサービスを利用することが可能である。
【００１３】
メール転送サーバ３０は、メール転送サービスを提供するサーバ装置である。例えば、メール転送サーバ３０は、ユーザ端末２０から送信された電子メールを、クラウドサーバ１００へ転送することが可能である。
【００１４】
開発者端末４０は、ワークフローサービスの開発者が使用する端末装置である。開発者端末４０は、ネットワーク１２を介して、クラウドサーバ１００によって提供されるワークフローサービスの開発を行うことが可能である。例えば、開発者端末４０は、イベント通知設定ファイルを生成し、当該イベント通知設定ファイルを、クラウドサーバ１００に登録することができる。イベント通知設定ファイルとは、ワークフローのジョブを実行するためのイベントの通知に関する設定ファイルである。イベント通知設定ファイルは、イベントの通知内容および通知先を含む。すなわち、開発者は、イベント通知設定ファイルに対して、イベントの通知内容および通知先を任意に設定することができる。開発者端末４０としては、例えば、パーソナルコンピュータ等が挙げられる。なお、情報処理システム１０は、複数の開発者端末４０を接続することが可能であり、複数の開発者端末４０の各々から、クラウドサーバ１００によって提供されるワークフローサービスの開発を行うことが可能である。
【００１５】
このように構成された情報処理システム１０では、開発者端末４０から、開発者がイベントの通知内容および通知先を任意に設定したイベント通知設定ファイルを生成し、当該イベント通知設定ファイルを、クラウドサーバ１００に登録することができる。また、情報処理システム１０では、ユーザ端末２０から電子メールを送信することにより、クラウドサーバ１００に特定のワークフローを実行させることが可能である。具体的には、ユーザ端末２０が、添付ファイルが付与された電子メールを送信する。そして、メール転送サーバ３０が、当該電子メールを受信し、当該電子メールに含まれるメール情報および添付ファイルを、クラウドサーバ１００へ転送する。クラウドサーバ１００は、メール情報および添付ファイルを受信すると、イベント通知設定ファイルに基づくイベント通知がなされ、当該イベント通知に応じて、予め定義された複数のワークフローの中から、メール情報に基づいて実行すべきワークフローを特定し、特定されたワークフローを、添付ファイルを用いて実行する。すなわち、本実施形態の情報処理システム１０では、ユーザ端末２０から送信される電子メールに含まれるメール情報に、実行すべきワークフローの識別情報を含めることで、開発者によってイベントの通知内容および通知先が任意に設定されたイベント通知設定ファイルに基づくイベント通知を行って、複数のワークフローの中から、任意のワークフローを選択的に実行することができる。以下、この点について具体的に説明する。
【００１６】
（クラウドサーバ１００のハードウェア構成）
図２は、本発明の一実施形態に係るクラウドサーバ１００のハードウェア構成を示す図である。図２に示すように、クラウドサーバ１００は、ＣＰＵ（Central Processing Unit）１０１、ＲＯＭ（Read Only Memory）１０２、ＲＡＭ（Random Access Memory）１０３、ＨＤＤ（Hard Disk Drive）１０４、入力装置１０５、表示装置１０６、および通信Ｉ／Ｆ（Inter Face）１０７を備えている。各ハードウェアは、バス１０８を介して相互に接続されている。
【００１７】
ＣＰＵ１０１は、ＲＯＭ１０２またはＨＤＤ１０４に記憶されている各種プログラムを実行する。ＲＯＭ１０２は、不揮発性メモリである。例えば、ＲＯＭ１０２は、ＣＰＵ１０１により実行される各種プログラム、ＣＰＵ１０１が各種プログラムを実行するために必要なデータ等を記憶する。ＲＡＭ１０３は、ＤＲＡＭ（Dynamic Random Access Memory）やＳＲＡＭ（Static Random Access Memory）等の主記憶装置である。例えば、ＲＡＭ１０３は、ＣＰＵ１０１が各種プログラムを実行する際に利用する作業領域として機能する。ＨＤＤ１０４は、不揮発性の記憶装置である。例えば、ＨＤＤ１０４は、ＣＰＵ１０１により実行される各種プログラム、ＣＰＵ１０１が各種プログラムを実行するために必要なデータ等を記憶する。
【００１８】
入力装置１０５は、ユーザによって操作されることにより、各種情報を入力する。入力装置１０５としては、例えば、マウス、キーボード等が用いられる。表示装置１０６は、各種情報を表示する。表示装置１０６としては、例えば、液晶ディスプレイ、有機ＥＬディスプレイ等が用いられる。通信Ｉ／Ｆ１０７は、ネットワーク１２を介して、外部の情報処理装置（例えば、ユーザ端末２０、メール転送サーバ３０等）との通信を行うためのインタフェースである。なお、入力装置１０５および表示装置１０６は、クラウドサーバ１００に対する入力および表示が可能なものであれば、クラウドサーバ１００が備えるものに限らず、例えば、クラウドサーバ１００に対してネットワーク１２を介して接続された端末装置（例えば、パーソナルコンピュータ等）が備えるものであってもよい。
【００１９】
（クラウドサーバ１００およびメール転送サーバ３０の機能構成）
図３は、本発明の一実施形態に係るクラウドサーバ１００およびメール転送サーバ３０の機能構成を示す図である。
【００２０】
図３に示すように、メール転送サーバ３０は、メール情報転送サービス３２を備えている。メール情報転送サービス３２は、ユーザ端末２０から送信された電子メールを受信する。そして、メール情報転送サービス３２は、当該電子メールに対する各種チェック（例えば、スパムチェック、ウィルスチェック等）を行う。さらに、メール情報転送サービス３２は、当該電子メールから各種メール情報（例えば、送信元アドレス、送信先アドレス、メールアドレスのうちドメイン名やローカル部、本文、件名、テナントＩＤ等）および添付ファイルを抽出して、当該メール情報および当該添付ファイルを、ＨＴＴＰ（Hypertext Transfer Protocol）のＰＯＳＴリクエストにより、クラウドサーバ１００へ転送する。
【００２１】
一方、クラウドサーバ１００は、イベント登録モジュール１１０、メール処理モジュール１１２、一時ファイル保存モジュール１１４、認証モジュール１１６、イベント通知モジュール１１８、通知受け取りモジュール１２０、およびＩ／Ｏサービス１２２を備える。
【００２２】
イベント登録モジュール１１０は、「イベント登録部」の一例である。イベント登録モジュール１１０は、イベント通知設定ファイルを登録する。具体的には、イベント登録モジュール１１０は、開発者端末４０からイベント通知設定ファイルの登録要求を受信すると、当該イベント通知設定ファイルの保存要求を、イベント通知モジュール１１８へ送信する。これにより、イベント登録モジュール１１０は、当該イベント通知設定ファイルを、イベント通知モジュール１１８に保存させる。
【００２３】
メール処理モジュール１１２は、メール転送サーバ３０から転送されたメール情報および添付ファイルを受け取る。そして、メール処理モジュール１１２は、受け取ったメール情報に基づいて、後述する認証モジュール１１６に認証を行わせることにより、認証モジュール１１６からアクセストークンを取得する。また、メール処理モジュール１１２は、受け取ったメール情報および添付ファイルを、後述する一時ファイル保存モジュール１１４に保存させ、一時ファイル保存モジュール１１４から、メール情報および添付ファイルの保存先のアドレスを取得する。また、メール処理モジュール１１２は、メール情報および添付ファイルの保存先のアドレスを一意に識別するための識別情報である、メールＩＤを発行する。さらに、メール処理モジュール１１２は、後述するイベント通知モジュール１１８に対して、イベント登録要求を行うことにより、イベント通知モジュール１１８にイベントの通知を行わせる。
【００２４】
一時ファイル保存モジュール１１４は、メール処理モジュール１１２からの保存要求に応じて、メール情報および添付ファイルを一時的に保存する。そして、一時ファイル保存モジュール１１４は、メール情報および添付ファイルの保存先のアドレスを、メール処理モジュール１１２へ返す。
【００２５】
認証モジュール１１６は、メール処理モジュール１１２からの認証要求に応じて、メール情報の送信元のユーザの認証を行う。例えば、認証モジュール１１６は、メール情報に含まれている送信元アドレス、送信先アドレス、およびテナントＩＤを認証情報として、当該認証情報が、予め認証情報データベースに登録されている認証情報であれば、メール情報の送信元のユーザが正規のユーザであると判断する。そして、認証モジュール１１６は、メール情報の送信元のユーザが正規のユーザであると判断した場合、アクセストークンを発行し、当該アクセストークンを、メール処理モジュール１１２へ返す。さらに、認証モジュール１１６は、各処理モジュールからの確認要求に応じて、アクセストークンが有効か否かの判断を行い、その判断結果を、確認要求の要求元の処理モジュールへ返す。
【００２６】
イベント通知モジュール１１８は、「イベント通知部」の一例である。イベント通知モジュール１１８は、イベント登録モジュール１１０からのイベント通知設定ファイルの保存要求に応じて、当該イベント通知設定ファイルを保存する。また、イベント通知モジュール１１８は、メール処理モジュール１１２からのイベント登録要求に応じて、当該イベント登録要求に対応するイベント通知設定ファイルを参照することにより、当該イベント登録要求に対応するイベントの種類、通知先等の確認を行う。そして、イベント通知モジュール１１８は、イベント通知設定ファイルの設定に従い、確認された通知先（後述する通知受け取りモジュール１２０）に対して、イベントの通知を行う。
【００２７】
通知受け取りモジュール１２０は、「通知受け取り部」の一例である。通知受け取りモジュール１２０は、イベント通知モジュール１１８によってなされたイベント通知を受け取り、当該イベント通知に基づいて実行すべきワークフローを特定し、特定されたワークフローを実行するためのジョブを登録する。例えば、通知受け取りモジュール１２０は、アプリケーションを一意に識別するためのアプリインスタンスＩＤと、テナントＩＤと、実行対象とするワークフローのリクエスト先ＵＲＬ（Uniform Resource Locator）とを、互いに対応付けて、ＩＯフロー管理テーブルによって管理する。また、通知受け取りモジュール１２０は、ＩＯフロー管理テーブルを参照することにより、アプリインスタンスＩＤおよびテナントＩＤに基づいて、実行対象とするワークフローのリクエスト先ＵＲＬを特定することができる。そして、通知受け取りモジュール１２０は、当該ＵＲＬに対して、ジョブの実行要求を送信することにより、実行対象とされたワークフローをＩ／Ｏサービス１２２に登録し、当該ワークフローをＩ／Ｏサービス１２２に実行させることができる。
【００２８】
また、通知受け取りモジュール１２０は、ワークフロー毎に生成された複数のアプリケーションを管理する。アプリケーションは、ワークフローによって順次実行される一連の複数の処理の処理内容、処理順序、処理パラメータ等が設定される。各アプリケーションは、当該アプリケーションが生成された際に付与されたアプリインスタンスＩＤによって、一意に識別可能である。なお、アプリケーションは、例えば、クラウドサーバ１００と接続された端末装置から、生成および設定変更が可能である。
【００２９】
Ｉ／Ｏサービス１２２は、「ジョブ実行部」の一例である。Ｉ／Ｏサービス１２２は、各種ワークフローの実行を制御する。例えば、Ｉ／Ｏサービス１２２は、通知受け取りモジュール１２０によって登録された、ワークフローのジョブを実行する。この際、Ｉ／Ｏサービス１２２は、通知受け取りモジュール１２０から送信されたジョブの実行要求のリクエスト先ＵＲＬにより、実行可能な複数のワークフローの中から、実行すべきワークフローを特定することができる。また、この際、Ｉ／Ｏサービス１２２は、一時ファイル保存モジュール１１４から一時保存された添付ファイルを取得し、当該添付ファイルを用いて、ワークフローのジョブを実行する。なお、Ｉ／Ｏサービス１２２は、実行すべきワークフローに対応するアプリケーションの設定（例えば、複数の処理の処理内容、処理順序、処理パラメータ等）にしたがって、当該ワークフローを実行する。
【００３０】
なお、上記したクラウドサーバ１００の各機能は、例えば、クラウドサーバ１００において、ＲＯＭ１０２またはＨＤＤ１０４に記憶されたプログラムを、ＣＰＵ１０１が実行することにより実現される。ＣＰＵ１０１が実行するプログラムは、予めクラウドサーバ１００に導入された状態で提供されてもよく、外部から提供されてクラウドサーバ１００に導入されるようにしてもよい。後者の場合、このプログラムは、外部記憶媒体（例えば、ＵＳＢメモリ、メモリカード、ＣＤ−ＲＯＭ等）によって提供されてもよく、ネットワーク（例えば、インターネット等）上のサーバ等からダウンロードすることによって提供されるようにしてもよい。
【００３１】
（情報処理システム１０によるイベント登録処理の手順）
図４は、本発明の一実施形態に係る情報処理システム１０によるイベント登録処理の手順の一例を示すシーケンス図である。
【００３２】
まず、開発者端末４０から、クラウドサーバ１００のイベント登録モジュール１１０に対して、イベント設定ファイルの登録要求を送信する（１）。イベント登録モジュール１１０は、当該登録要求に応じて、イベント設定ファイルの保存要求を、イベント通知モジュール１１８へ送信する（１．１）。イベント通知モジュール１１８は、当該保存要求に応じて、イベント設定ファイルを保存する（１．１．１）。そして、イベント通知モジュール１１８は、イベント設定ファイルの保存完了通知を、イベント登録モジュール１１０へ返す。また、イベント登録モジュール１１０は、イベント設定ファイルの登録完了通知を、開発者端末４０へ返す。
【００３３】
（イベント通知設定ファイルの一例）
図５は、本発明の一実施形態に係るイベント登録モジュール１１０によって登録されるイベント通知設定ファイルの一例を示す図である。
【００３４】
図５に示すイベント通知設定ファイルにおいて、「eventType」は、通知するイベントの種類を示す。例えば、図５に示す例では、「eventType」に「email」が設定されており、メール処理モジュール１１２からのイベント登録要求に対応するイベント通知設定ファイルであることを示す。
【００３５】
また、図５に示すイベント通知設定ファイルにおいて、「rules」は、イベント通知を行う場合の条件を示す。例えば、図５に示す例では、「rules」は、テナントＩＤ（tenantId）およびユーザＩＤ（userId）を条件として含んでいる。具体的には、図５に示すイベント通知設定ファイルでは、テナントＩＤとして「tenant01」が設定されている。また、図５に示すイベント通知設定ファイルでは、ユーザＩＤとして「*」が設定されている。これは、当該イベント通知設定ファイルが、テナントＩＤ「tenant01」に属する全てのユーザＩＤに対して適用されるイベント通知設定ファイルであることを表している。
【００３６】
また、図５に示すイベント通知設定ファイルにおいて、「actions」は、イベントの通知先および通知方法を示す。例えば、図５に示す例では、「actions」は、「actionType」、「requestUrl」、および「requestHeaders」を条件として含んでいる。
【００３７】
「actionType」は、イベントの通知方法が設定される。例えば、図５に示す例では、「actionType」に「HTTP」が設定されている。これは、ＨＴＴＰリクエストによりイベント通知を行うことを表す。
【００３８】
「requestUrl」は、イベントの通知先のＵＲＬが設定される。例えば、図５に示す例では、「requestUrl」に「https://www.na.hostname.com/appdata/internal/mail/jobs」が設定されている。このＵＲＬは、通知受け取りモジュール１２０が持つイベント通知の受信用のＡＰＩ（Application Programming Interface）パスである。
【００３９】
「requestHeaders」は、イベント通知の際のＨＴＴＰリクエストのヘッダーに付与する値が設定される。例えば、図５に示す例では、「requestHeaders」に対し、コンテンツタイプおよび文字コードを指定する、「Content-Type: application/json; charset=utf-8」が設定されている。
【００４０】
図５に示すイベント通知設定ファイルは、開発者端末４０によって生成され、その際、開発者は、各種設定項目に対し、任意の値を設定することができる。そして、このイベント通知設定ファイルは、開発者端末４０からの登録要求に応じて、イベント登録モジュール１１０によって、クラウドサーバ１００に登録される。さらに、このイベント通知設定ファイルは、後述するジョブ実行処理において、イベント通知モジュール１１８によって参照される。イベント通知モジュール１１８は、このイベント通知設定ファイルを参照することにより、イベントの種類、通知先等の確認を行う。そして、イベント通知モジュール１１８は、このイベント通知設定ファイルの設定に従い、確認された通知先（通知受け取りモジュール１２０が保持するイベント通知の受信用のＡＰＩパス）に対して、イベントの通知を行う。
【００４１】
（情報処理システム１０によるジョブ実行処理の手順）
図６および図７は、本発明の一実施形態に係る情報処理システム１０によるジョブ実行処理の手順の一例を示すシーケンス図である。
【００４２】
まず、図６に示すように、ユーザ端末２０が、電子メールを送信する（１）。ここで、電子メールの送信先アドレスは、「{アプリインスタンスＩＤ}.{テナントＩＤ}@{環境名}.{ホスト名}」という構成を有している。アプリインスタンスＩＤは、実行対象とするワークフローに対応する識別情報である。テナントＩＤは、電子メールの送信元のユーザが属するテナント（組織）に割り当てられた識別情報である。すなわち、本実施形態の情報処理システム１０では、電子メールの送信先アドレスにより、アプリインスタンスＩＤおよびテナントＩＤを、ユーザが指定できるようになっている。例えば、アプリインスタンスＩＤを「ai00001」とし、テナントＩＤを「tenant01」とし、環境名を「na」とし、ホスト名を「hostname.com」とする場合、電子メールの送信先アドレスは、「ai00001.tenant01@na.hostname.com」となる。通知受け取りモジュール１２０は、アプリインスタンスＩＤと、テナントＩＤと、実行対象とするワークフローのリクエスト先ＵＲＬとが対応付けられたＩＯフロー管理テーブルを保持している。これにより、通知受け取りモジュール１２０は、ユーザ端末２０から送信された電子メールに設定されているアプリインスタンスＩＤおよびテナントＩＤにより、実行対象とするワークフローを特定することができる。なお、通知受け取りモジュール１２０が保持するＩＯフロー管理テーブルの一例については、図８を用いて後述する。
【００４３】
次に、メール転送サーバ３０において、メール情報転送サービス３２が、ユーザ端末２０から送信された電子メールを受信すると、メール情報転送サービス３２が、当該電子メールがスパムメールであるか否かを確認する（１．１）。また、メール情報転送サービス３２が、当該電子メールがウィルスに感染しているか否かを確認する（１．２）。そして、メール情報転送サービス３２は、当該電子メールからメール情報（例えば、送信元アドレス、送信先アドレス、テナントＩＤ等）および添付ファイルを抽出して、当該メール情報および当該添付ファイルを、ＨＴＴＰのＰＯＳＴリクエストにより、クラウドサーバ１００へ転送する（１．３）。なお、メール転送サーバ３０からクラウドサーバ１００へ転送されるメール情報の一例については、図９を用いて後述する。
【００４４】
次に、クラウドサーバ１００において、メール処理モジュール１１２が、メール転送サーバ３０から転送されたメール情報および添付ファイルを受け取ると、メール処理モジュール１１２が、認証モジュール１１６に対して、メール情報の送信元のユーザの認証要求を送信する（１．３．１）。認証モジュール１１６は、当該認証要求に応じて、メール情報の送信元のユーザの認証を行う。具体的には、認証モジュール１１６は、テナントＩＤと、ユーザＩＤと、ユーザメールアドレスとが対応付けられたユーザ登録情報テーブルを保持している。そして、認証モジュール１１６は、ユーザ登録情報テーブルを参照し、メール情報の送信先アドレスに含まれているテナントＩＤと、メール情報の送信先アドレス（ユーザメールアドレス）との組み合わせに対応する、ユーザＩＤが存在するか否かを判断する。そして、認証モジュール１１６は、ユーザＩＤが存在すると判断した場合、ユーザの認証に成功したと判断し、アクセストークンを発行して、当該アクセストークンを、メール処理モジュール１１２へ返す。なお、認証モジュール１１６が保持するユーザ登録情報テーブルの一例については、図１０を用いて後述する。
【００４５】
次に、メール処理モジュール１１２は、添付ファイルの保存要求を、一時ファイル保存モジュール１１４へ送信する（１．３．２）。一時ファイル保存モジュール１１４は、当該保存要求に応じて、添付ファイルを保存する。そして、一時ファイル保存モジュール１１４は、添付ファイルの保存先のアドレスを、メール処理モジュール１１２へ返す。なお、一時ファイル保存モジュール１１４から返される添付ファイルの保存先のアドレスの一例については、図１１を用いて後述する。
【００４６】
また、メール処理モジュール１１２は、メール情報の保存要求を、一時ファイル保存モジュール１１４へ送信する（１．３．３）。一時ファイル保存モジュール１１４は、当該保存要求に応じて、メール情報を保存する。そして、一時ファイル保存モジュール１１４は、メール情報の保存先のアドレスを、メール処理モジュール１１２へ返す。なお、一時ファイル保存モジュール１１４から返されるメール情報の保存先のアドレスの一例については、図１２を用いて後述する。
【００４７】
そして、メール処理モジュール１１２は、メールＩＤを発行し（１．３．４）、当該メールＩＤと、一時ファイル保存モジュール１１４から返された添付ファイルの保存先のアドレスと、一時ファイル保存モジュール１１４から返されたメール情報の保存先のアドレスとを対応付けて、メール情報管理テーブルに登録する。なお、メール処理モジュール１１２が保持するメール情報管理テーブルの一例については、図１３を用いて後述する。
【００４８】
さらに、メール処理モジュール１１２は、イベント通知モジュール１１８に対して、イベント登録要求を送信する（１．３．５）。当該イベント登録要求は、アクセストークン、テナントＩＤ、ユーザＩＤ、およびメールＩＤを、パラメータとして含む。
【００４９】
続いて、図７に示すように、イベント通知モジュール１１８は、メール処理モジュール１１２から送信されたイベント登録要求を受信すると、イベント通知の通知先および通知内容を確認する（１．３．５．１）。具体的には、イベント通知モジュール１１８は、イベント通知設定の設定ファイルを予め保持している。そして、イベント通知モジュール１１８は、メール処理モジュール１１２から送信されたイベント登録要求を受信すると、当該イベント登録要求（テナントＩＤおよびユーザＩＤ）に対応する設定ファイルを参照することにより、イベント通知の通知先および通知内容を確認する。
【００５０】
そして、イベント通知モジュール１１８は、確認された通知先および通知内容により、通知受け取りモジュール１２０に対して、イベント通知を行う（１．３．５．２）。当該イベント通知は、アクセストークン、テナントＩＤ、ユーザＩＤ、およびメールＩＤを、パラメータとして含む。
【００５１】
通知受け取りモジュール１２０は、イベント通知モジュール１１８からのイベント通知を受けると、メール処理モジュール１１２に対して、メール情報の取得要求を送信する（１．３．５．２．１）。当該取得要求は、アクセストークンおよびメールＩＤを、パラメータとして含む。
【００５２】
メール処理モジュール１１２は、通知受け取りモジュール１２０から送信されたメール情報の取得要求を受信すると、認証モジュール１１６に対して、当該取得要求に含まれているアクセストークンの確認要求を送信する（１．３．５．２．１．１）。認証モジュール１１６は、当該確認要求を受信すると、当該アクセストークンが正当なアクセストークンであるか否かを判断し、その判断結果をメール処理モジュール１１２へ返す。
【００５３】
また、メール処理モジュール１１２は、通知受け取りモジュール１２０から送信されたメール情報の取得要求を受信すると、一時ファイル保存モジュール１１４に対して、当該取得要求に含まれているメールＩＤに対応する、メール情報および添付ファイルの保存先のアドレスの取得要求を送信する（１．３．５．２．１．２）。一時ファイル保存モジュール１１４は、当該取得要求を受信すると、メールＩＤに対応するメール情報および添付ファイルの保存先のアドレスを、メール情報管理テーブルから取得し、当該メール情報および添付ファイルの保存先のアドレスを、メール処理モジュール１１２へ返す。メール処理モジュール１１２は、当該メール情報および添付ファイルの保存先のアドレスを、通知受け取りモジュール１２０へ返す。
【００５４】
通知受け取りモジュール１２０は、メール処理モジュール１１２から返された、メール情報および添付ファイルの保存先のアドレスを受け取ると、当該アドレスに格納されているメール情報を参照し、当該メール情報に含まれている送信先アドレスから、アプリインスタンスＩＤを特定する。そして、通知受け取りモジュール１２０は、自身が保持するＩＯフロー管理テーブル（図８参照）を参照することにより、当該アプリインスタンスＩＤに対応するワークフローのＵＲＬを特定する（１．３．５．２．２）。さらに、通知受け取りモジュール１２０は、当該ＵＲＬに対して、ジョブの実行要求を送信する（１．３．５．２．３）。この実行要求は、アクセストークンおよび添付ファイルの保存先のアドレスを含む。
【００５５】
Ｉ／Ｏサービス１２２は、通知受け取りモジュール１２０から送信されたジョブの実行要求を受信すると、認証モジュール１１６に対して、当該実行要求に含まれているアクセストークンの確認要求を送信する（１．３．５．２．３．１）。認証モジュール１１６は、当該確認要求を受信すると、当該アクセストークンが正当なアクセストークンであるか否かを判断し、その判断結果をＩ／Ｏサービス１２２へ返す。
【００５６】
そして、Ｉ／Ｏサービス１２２は、一時ファイル保存モジュール１１４に対して、添付ファイルの取得要求を送信する（１．３．５．２．３．２）。この取得要求は、アクセストークンおよび添付ファイルの保存先のアドレスを含む。
【００５７】
一時ファイル保存モジュール１１４は、Ｉ／Ｏサービス１２２から送信された添付ファイルの取得要求を受信すると、認証モジュール１１６に対して、当該取得要求に含まれているアクセストークンの確認要求を送信する（１．３．５．２．３．２．１）。認証モジュール１１６は、当該確認要求を受信すると、当該アクセストークンが正当なアクセストークンであるか否かを判断し、その判断結果を一時ファイル保存モジュール１１４へ返す。
【００５８】
そして、一時ファイル保存モジュール１１４は、Ｉ／Ｏサービス１２２から送信された添付ファイルの取得要求に含まれている、添付ファイルの保存先のアドレスから、添付ファイルを取得して、当該添付ファイルを、Ｉ／Ｏサービス１２２へ返す。
【００５９】
Ｉ／Ｏサービス１２２は、一時ファイル保存モジュール１１４から返された添付ファイルを受け取ると、当該添付ファイルを用いて、通知受け取りモジュール１２０からジョブの実行要求が送信されたＵＲＬによって特定されるワークフローのジョブを実行する（１．３．５．２．３．３）。そして、Ｉ／Ｏサービス１２２は、ジョブの完了通知を、通知受け取りモジュール１２０へ送信する。
【００６０】
（通知受け取りモジュール１２０が保持するＩＯフロー管理テーブルの一例）
図８は、本発明の一実施形態に係る通知受け取りモジュール１２０が保持するＩＯフロー管理テーブルの一例を示す図である。図８に示すように、ＩＯフロー管理テーブルにおいては、アプリインスタンスＩＤおよびテナントＩＤに対して、実行対象とするワークフローのリクエスト先ＵＲＬ（ＩＯフローＵＲＬ）が対応付けられている。これにより、通知受け取りモジュール１２０は、イベント通知を受け取った際に、ＩＯフロー管理テーブルを参照することにより、ユーザ端末２０から送信された電子メールの送信先アドレスに設定されている、アプリインスタンスＩＤおよびテナントＩＤから、実行対象とするワークフローを特定することができる。
【００６１】
（クラウドサーバ１００へ転送されるメール情報の一例）
図９は、本発明の一実施形態に係る情報処理システム１０において、メール転送サーバ３０からクラウドサーバ１００へ転送されるメール情報の一例を示す図である。図９では、一例として、ユーザ端末２０から、送信先アドレスを「ai00001.tenant01@na.hostname.com」とする電子メールが送信された際に、メール転送サーバ３０からクラウドサーバ１００へ転送されるメール情報を表している。
【００６２】
図９に示すメール情報において、「to」に設定されている「ai00001.tenant01@na.hostname.com」は、ユーザ端末２０から送信された電子メールに設定されている送信先アドレスを示す。この送信先アドレスは、ローカル部にアプリインスタンスＩＤ「ai00001」と、テナントＩＤ「tenant01」とを含んだものとなっている。すなわち、この送信先アドレスは、ＩＯフロー管理テーブルから実行対象とするワークフローを特定することが可能なものとなっている。
【００６３】
また、「from」に設定されている「user01@hoge.co.jp」は、ユーザ端末２０から送信された電子メールに設定されている送信元アドレスを示す。当該送信元アドレスは、ローカル部にユーザ識別情報「user01」を含む。また、「subject」に設定されている「メールジョブ投入」は、ユーザ端末２０から送信された電子メールに設定されている件名を示す。また、「body」に設定されている「ファイルを添付しています」は、ユーザ端末２０から送信された電子メールに設定されている本文を示す。
【００６４】
クラウドサーバ１００は、図９に示すようなメール情報を、メール転送サーバ３０から受け取ることで、当該メール情報（アプリインスタンスＩＤおよびテナントＩＤ）に基づいて特定されるワークフローを、当該メール情報とともに転送されてきた添付ファイルを用いて実行することができる。
【００６５】
（ユーザ登録情報テーブルの一例）
図１０は、本発明の一実施形態に係る認証モジュール１１６が保持するユーザ登録情報テーブルの一例を示す図である。図１０に示すように、ユーザ登録情報テーブルにおいては、ユーザＩＤに対して、テナントＩＤおよびユーザメールアドレスが対応付けられている。これにより、認証モジュール１１６は、ユーザ登録情報テーブルを参照することにより、メール情報の送信先アドレスに含まれているテナントＩＤと、メール情報の送信先アドレスとの組み合わせに対応する、ユーザＩＤが存在するか否かを判断することができる。そして、認証モジュール１１６は、ユーザＩＤが存在する場合には、ユーザの認証に成功したと判断して、アクセストークンを発行することができる。
【００６６】
（添付ファイルの保存先のアドレスの一例）
図１１は、本発明の一実施形態に係る一時ファイル保存モジュール１１４から返される添付ファイルの保存先のアドレスの一例を示す図である。図１１は、メール処理モジュール１１２からの要求に応じて、一時ファイル保存モジュール１１４が添付ファイルを保存したときに、一時ファイル保存モジュール１１４からメール処理モジュール１１２へ返されるデータの一例を表している。当該データにおいて、「urls」に設定されている「http://vsapi.na.hostname.internal/tmpfiles/tenant01/user01/files/file01_01.jpg」は、添付ファイルの保存先のアドレスを示す。
【００６７】
（メール情報の保存先のアドレスの一例）
図１２は、本発明の一実施形態に係る一時ファイル保存モジュール１１４から返されるメール情報の保存先のアドレスの一例を示す図である。図１２は、メール処理モジュール１１２からの要求に応じて、一時ファイル保存モジュール１１４がメール情報を保存したときに、一時ファイル保存モジュール１１４からメール処理モジュール１１２へ返されるデータの一例を表している。当該データにおいて、「url」に設定されている「http://vsapi.na.hostname.internal/tmpfiles/tenant01/user01/mailinfoes/mailinfo01」は、メール情報の保存先のアドレスを示す。
【００６８】
（メール情報および添付ファイルの保存先のアドレスの一例）
図１３は、本発明の一実施形態に係るメール処理モジュール１１２が保持するメール情報管理テーブルの一例を示す図である。図１３に示すように、メール情報管理テーブルにおいては、メールＩＤに対して、メール情報の保存先のアドレスと、添付ファイルの保存先のアドレスとが対応付けられている。メール情報の保存先のアドレスおよび添付ファイルの保存先のアドレスは、一時ファイル保存モジュール１１４が、メール情報および添付ファイルを保存したときに、一時ファイル保存モジュール１１４から、メール処理モジュール１１２へ返されたものである。メールＩＤは、メール処理モジュール１１２が、メール情報の保存先のアドレスおよび添付ファイルの保存先のアドレスを受け取ったときに、メール処理モジュール１１２によって、これらのアドレスに対して発行されたものである。これにより、メール処理モジュール１１２は、他のモジュールからメール情報の取得要求を受け取ったとき、メール情報管理テーブルを参照することにより、当該取得要求に含まれているメールＩＤから、当該メールＩＤに対応するメール情報の保存先のアドレスおよび添付ファイルの保存先のアドレスを取得することができる。
【００６９】
（イベント通知設定ファイルの他の一例）
図１４は、本発明の一実施形態に係るイベント登録モジュール１１０によって登録されるイベント通知設定ファイルの他の一例を示す図である。イベント通知設定ファイルは、ワークフローを実行するためのイベントの通知のみならず、ユーザ削除・更新等、ユーザの認証情報の変更があった場合、これを必要なモジュールへ通知することを目的として利用することもできる。図１４では、ユーザの認証情報の変更があった場合に、イベント通知モジュール１１８が、認証モジュール１１６からのイベント通知要求を受けて、この通知を受け取りたい通知先モジュール（以下、「サービスモジュール」と示す）に対してイベント通知を行うための、イベント通知設定ファイルを例示する。
【００７０】
図１４に示す例では、イベント通知設定ファイルには、前段に記された、ユーザの認証情報の削除を通知する第１の条件と、後段に記された、ユーザの認証情報の更新を通知する第２の条件とを含んでいる。
【００７１】
第１の条件において、「rules」はイベント通知を行う場合の条件を示す。例えば、図１４に示す例では、第１の条件の「rules」は、「serviceClass」および「action」を条件として含んでおり、「serviceClass」には、「serviceA」および「serviceB」が設定されており、「action」には、「user.delete」が設定されている。これは、「serviceA」または「serviceB」のユーザが削除された場合、イベント通知を行うことを表している。
【００７２】
また、第１の条件において、「actions」は、イベントの通知先および通知方法を示す。例えば、図１４に示す例では、第１の条件の「actions」は、「actionType」、「requestUrl」、および「requestHeaders」を含んでいる。「actionType」には、「HTTP」が設定されている。これは、ＨＴＴＰリクエストによりイベント通知を行うことを表す。「requestUrl」には、イベントの通知先のＵＲＬとして「http://hostname.com.internal/frcxprint/internal/delete_user」が設定されている。このＵＲＬは、サービスモジュールが持つイベント通知の受信用のＡＰＩパスである。「requestHeaders」には、イベント通知の際のＨＴＴＰリクエストのヘッダーに付与する値として、コンテンツタイプおよび文字コードを指定する「Content-Type: application/json; charset=utf-8」と、Ｂａｓｉｃ認証の認証情報である「Authorization: Basic XXXXXXXXXXXXXXXXXXXX==」とが設定されている。
【００７３】
また、第２の条件において、「rules」はイベント通知を行う場合の条件を示す。例えば、図１４に示す例では、第２の条件の「rules」は、「serviceClass」、「contractKind」、および「action」を条件として含んでおり、「serviceClass」には、「serviceB」が設定されており、「contractKind」には、「contractB」が設定されており、「action」には、「license.update」が設定されている。これは、「serviceB」のユーザの契約種別が「contractB」であるライセンス登録情報が更新された場合、イベント通知を行うことを表している。
【００７４】
また、第２の条件において、「actions」は、イベントの通知先および通知方法を示す。例えば、図１４に示す例では、第２の条件の「actions」は、「actionType」、「requestUrl」、および「requestHeaders」を含んでいる。「actionType」には、「HTTP」が設定されている。これは、ＨＴＴＰリクエストによりイベント通知を行うことを表す。「requestUrl」には、イベントの通知先のＵＲＬとして「http://hostname.com.internal/frcxprint/internal/license_change_event」が設定されている。このＵＲＬは、サービスモジュールが持つイベント通知の受信用のＡＰＩパスである。「requestHeaders」には、イベント通知の際のＨＴＴＰリクエストのヘッダーに付与する値として、コンテンツタイプおよび文字コードを指定する「Content-Type: application/json; charset=utf-8」と、Ｂａｓｉｃ認証の認証情報である「Authorization: Basic YYYYYYYYYYYYYYYYYYYYYY==」とが設定されている。
【００７５】
図１４に示すイベント通知設定ファイルは、開発者端末４０によって生成され、その際、開発者は、各種設定項目に対し、任意の値を設定することができる。そして、このイベント通知設定ファイルは、開発者端末４０からの登録要求に応じて、イベント登録モジュール１１０によって、クラウドサーバ１００に登録される。さらに、このイベント通知設定ファイルは、ユーザの認証情報の変更があったときに、イベント通知モジュール１１８によって参照される。イベント通知モジュール１１８は、このイベント通知設定ファイルを参照することにより、イベントの種類、通知先等の確認を行う。そして、イベント通知モジュール１１８は、このイベント通知設定ファイルの設定に従い、確認された通知先（サービスモジュールが保持するイベント通知の受信用のＡＰＩパス）に対して、イベントの通知を行う。
【００７６】
以上説明したように、本発明の一実施形態に係る情報処理システム１０は、イベントの通知内容および通知先が示されたイベント通知設定ファイルを登録し、イベント通知設定ファイルに示されている通知先に対して、イベント通知設定ファイルに示されている通知内容を含む、イベント通知を行うことができる。これにより、本発明の一実施形態に係る情報処理システム１０は、開発者が、イベント通知設定ファイルに対して、イベントの通知内容および通知先を、任意に設定することができる。したがって、本発明の一実施形態に係る情報処理システム１０によれば、ワークフローのジョブを実行するためのイベントの通知内容および通知先を多様化することができる。
【００７７】
特に、本発明の一実施形態に係る情報処理システム１０は、イベント通知設定ファイルに対し、イベント通知の実行対象とするイベントの種類の設定と、ジョブの実行を要求するユーザのユーザＩＤの設定と、ユーザが属するテナントのテナントＩＤの設定と、通知受け取りモジュール１２０が有するイベント通知の受信用のＡＰＩパスの設定とを行うことができる。すなわち、本発明の一実施形態に係る情報処理システム１０は、開発者が、イベント通知設定ファイルに対して、イベントの種類の設定、ユーザＩＤの設定、テナントＩＤの設定、およびイベント通知の受信用のＡＰＩパスの設定の各々を、任意に設定することができる。したがって、本発明の一実施形態に係る情報処理システム１０によれば、ワークフローのジョブを実行するためのイベントの通知内容および通知先をより多様化することができる。
【００７８】
以上、本発明の好ましい実施形態について詳述したが、本発明はこれらの実施形態に限定されるものではなく、特許請求の範囲に記載された本発明の要旨の範囲内において、種々の変形又は変更が可能である。
【００７９】
例えば、上記実施形態において、クラウドサーバ１００が備えることとした機能の一部または全部を、情報処理システム１０が備える一または複数の他の情報処理装置（例えば、サーバ装置、パーソナルコンピュータ、ＭＦＰ等）に設けるようにしてもよい。
【符号の説明】
【００８０】
１０  情報処理システム
１２  ネットワーク
２０  ユーザ端末
３０  メール転送サーバ
３２  メール情報転送サービス
１００  クラウドサーバ
１１０  イベント登録モジュール（イベント登録部）
１１２  メール処理モジュール
１１４  一時ファイル保存モジュール
１１６  認証モジュール
１１８  イベント通知モジュール（イベント通知部）
１２０  通知受け取りモジュール（通知受け取り部）
１２２  Ｉ／Ｏサービス（ジョブ実行部）
【先行技術文献】
【特許文献】
【００８１】
【特許文献１】特開２００５−２６９４２２号公報
【図１】
2019179535.tif 000003
【図２】
2019179535.tif 000004
【図３】
2019179535.tif 000005
【図４】
2019179535.tif 000006
【図５】
2019179535.tif 000007
【図６】
2019179535.tif 000008
【図７】
2019179535.tif 000009
【図８】
2019179535.tif 000010
【図９】
2019179535.tif 000011
【図１０】
2019179535.tif 000012
【図１１】
2019179535.tif 000013
【図１２】
2019179535.tif 000014
【図１３】
2019179535.tif 000015
【図１４】
2019179535.tif 000016